(57)【要約】【課題】施工後の互いの嵌合部が隠れるような形態の外装材であっても、交換対象となる外装材だけでもこれを交換できるような、即ち部分脱着の可能な非密着型の嵌合構造を付与してなる建築用外装材とそれの脱着方法を提案する。【解決手段】板材の一側端部と他側端部のそれぞれの延在部分に折曲げ成形した非密着型の嵌合構造を形成してなる建築用外装材であって、その一側端部には、逆くの字状である凹嵌合部と、それの遊端部から延びる前垂れ部とからなる嵌め受け構造部をもち、一方、前記他側端部には、前記前垂れ部に沿うように形成された折下げ部とその延在部分に形成されたＬ形折返し部とからなる掛止め構造部が形成されている脱着可能な建築用外装材と、その外装材を脱着治具を用いて脱着する方法。【選択図】図１
2020037811.tif 000002
【特許請求の範囲】
【請求項１】
板材の左右方向もしくは上下方向の一側端部と他側端部のそれぞれの延在部分に折曲げ成形した非密着型嵌合構造を形成してなる建築用外装材であって、
その一側端部には、その延在部分に、端面形状が逆くの字状である凹嵌合部と、その凹嵌合部の遊端上部から斜め下方に延びる前垂れ部とからなる嵌め受け構造部が、側縁に沿って形成されており、
一方、前記他側端部の延在部分には、前記一側端部側の前垂れ部に沿うように形成された折下げ部とその折下げ部の延在部分として斜め上向きに折り返されたＬ形折返し部とからなる掛止め構造部が、側縁に沿って形成されていることを特徴とする脱着可能な建築用外装材。
【請求項２】
前記嵌め受け構造部は、板材の一側端部の延在部分がまず、斜め上向きに起立した斜め上向き起立部となっていてその折り返し延在部分として逆向き斜め上向き部が形成されて全体として逆くの字状を呈するように曲成されて前記凹嵌合部を構成しており、さらにその逆向き斜め上向き部の遊端上部から斜め後下方に延びる斜め折下げ部とそれに続いて曲成された折上げ部とで構成されている前記前垂れ部が形成されており、そして該折上げ部の延在部分として前記逆向き斜め上向き部と平行な斜め折返し部が形成され、その斜め折返し部の延在部分には前記斜め起立部と平行な折返し起立部が形成され、該折返し起立部の延在部分の遊端部には折曲げて得られる前記板材と平行に延びる固定部が形成されていることを特徴とする請求項１に記載の脱着可能な建築用外装材。
【請求項３】
前記掛止め構造部は、板材の他側端部の延在部分として、前記一側端部の前垂れ部に沿うように形成された折下げ部とその延在部分としてやや斜め上向き後方に折り返されたＬ形折返し部が形成されていると共に、そのＬ形折返し部の遊端部をさらに下側に折り返してなるＵ形折曲げ部が形成されていることを特徴とする請求項１に記載の脱着可能な建築用外装材。
【請求項４】
前記両構造部どうしの嵌合状態が、前記嵌め受け構造部の前垂れ部とそれに続く前記逆向き斜め上向き部および前記掛止め構造部の前記Ｌ形折返し部とによって囲まれた空間が略三角形の空間を形造ることで非密着型嵌合構造を有することを特徴とする請求項１〜３のいずれか１に記載の脱着可能な建築用外装材。
【請求項５】
請求項１〜４のいずれか１に記載の建築用外装材の脱着方法であって、左右方向もしくは上下方向に複数の前記外装材が互いに嵌合しあって連結されている状態において、その連結されている外装材のうちの１つを取り外してから別の外装材を取り付ける際に、突当て部材と掛外し部材とからなる脱着治具を用い、その突当て部材を前記外装材の一側端部に形成されている嵌め受け構造部の逆くの字状押込み部に押し付けて押し込むと同時に、掛外し部材を外装材の他側端部の掛止め構造部のＬ形折返し部および一側端部の嵌め受け構造部の前垂れ部に引掛けて上方に撥ね上げることにより、外装材前記両構造部の嵌め外しを行い、その後、交換外装材の嵌合取付けを行なうことを特徴とする建築用外装材の脱着方法。
【発明の詳細な説明】
【技術分野】
【０００１】
本発明は、建築物の屋根または外壁に用いられる部分脱着の可能な建築用外装材およびそれの脱着方法に関するものである。
【背景技術】
【０００２】
金属板または樹脂板などの板材を成形加工して得られる建築用外装材は、屋根材あるいは外壁材などとして広く用いられているものである。これらの外装材は、例えば平板材をロール成形機などにより同一断面形状のものに連続成形して長い矩形の板状材としたものが一般的であり、建築現場において、例えばその長辺もしくは短辺同士を順次につなぎ合わせて屋根材などとして用いている。こうした外装材は通常、見栄えおよび防水性の観点から、下重ねとなる長辺方向の一側端部に嵌合部を形成した上でその一部を建築物の下地にねじ留めすると共に、隣り合う該外装材の他の側端部に上重ねするための嵌合部を形成して、当該長辺同士を嵌合連結させた上で、それらの連結部が仕上がり後に隠れて雨がかりにならないようにし、長期的に美観を維持し、高い水密性能を保つ工夫が施されている（特許文献１、２等）。それ故に、一旦施工が終わると、一般には連結した該外装材の１つを部分的に抜き出して補修することなどは極めて困難となるのが普通である。
【先行技術文献】
【特許文献】
【０００３】
【特許文献１】特開２００２−２８５６８２号公報
【特許文献２】特開平１０−７２９１１号公報
【発明の概要】
【発明が解決しようとする課題】
【０００４】
ところで、多くの建築現場においては、資材の運搬や取付け施工中に製品同士または工具をぶつけてしまい、外装材をへこませたり傷つけたりすることがあり、時にはそのまま工事を終了し、作業足場の撤去後にその傷つきが判明するようなことがある。特に近年の外装材は、工場の連続生産ラインで焼付け塗装された高級カラー鋼板などを素材として用いることが多いため、目立たないように補修することは難しいものの、時として傷ついた外装材のみを交換しなければならない必要にせまられることがある。ところが、上述した（特許文献１、２）のような密着型の嵌合部が隠れた状態で連結されている外装材のような場合、交換対象となる外装材だけを部分的に外して交換することは極めて困難で、基本的には傷ついている外装材の後で施工（敷設）された外装材をすべて取り外さなければならないというような問題があった。
【０００５】
そこで、本発明は、従来技術が抱えている上述した問題を解決すべく、特に、施工後（敷設後）は互いの嵌合部が隠れているような状態であっても、交換対象となる外装材だけを部分的に交換できるような、即ち部分脱着の可能な、非密着型で掛止めタイプの嵌合構造を有する建築用外装材を提案すること、およびそうした外装材の部分脱着を可能とする脱着方法を提案する。
【課題を解決するための手段】
【０００６】
本発明は、前記課題の解決を目的として開発した技術であって、その第一のものは、板材の左右方向もしくは上下方向の一側端部と他側端部のそれぞれの延在部分に折曲げ成形した非密着型嵌合構造を形成してなる建築用外装材であって、
その一側端部には、その延在部分に、端面形状が逆くの字状である凹嵌合部と、その凹嵌合部の遊端上部から斜め下方に延びる前垂れ部とからなる嵌め受け構造部が、側縁に沿って形成されており、
一方、前記他側端部の延在部分には、前記一側端部側の前垂れ部に沿うように形成された折下げ部とその折下げ部の延在部分として斜め上向きに折り返されたＬ形折返し部とからなる掛止め構造部が、側縁に沿って形成されていること、
を特徴とする脱着可能な建築用外装材である。
【０００７】
なお、本発明のより詳しい特徴的な構成は次のとおりである。
（１）前記嵌め受け構造部は、板材の一側端部の延在部分がまず、斜め上向きに起立した斜め上向き起立部となっていてその折り返し延在部分として逆向き斜め上向き部が形成されて全体として逆くの字状を呈するように曲成されて前記凹嵌合部を構成しており、さらにその逆向き斜め上向き部の遊端上部から斜め後下方に延びる斜め折下げ部とそれに続いて曲成された折上げ部とで構成されている前記前垂れ部が形成されており、そして該折上げ部の延在部分として前記逆向き斜め上向き部と平行な斜め折返し部が形成され、その斜め折返し部の延在部分には前記斜め起立部と平行な折返し起立部が形成され、該折返し起立部の延在部分の遊端部には折曲げて得られる前記板材と平行に延びる固定部が形成されていること。
（２）前記掛止め構造部は、板材の他側端部の延在部分として、前記一側端部の前垂れ部に沿うように形成された折下げ部とその延在部分としてやや斜め上向き後方に折り返されたＬ形折返し部が形成されていると共に、そのＬ形折返し部の遊端部をさらに下側に折り返してなるＵ形折曲げ部が形成されていること。
（３）前記両構造部どうしの嵌合状態が、前記嵌め受け構造部の前垂れ部とそれに続く前記逆向き斜め上向き部および前記掛止め構造部の前記Ｌ形折返し部とによって囲まれた空間が略三角形の空間を形造ることで非密着型嵌合構造を有すること。
【０００８】
また、本発明は、第２に、前記のような構成を有する建築用外装材の脱着方法であって、左右方向もしくは上下方向に複数の前記外装材が互いに嵌合しあって連結されている状態において、その連結されている外装材のうちの１つを取り外してから別の外装材を取り付ける際に、突当て部材と掛外し部材とからなる脱着治具を用い、その突当て部材を前記外装材の一側端部に形成されている嵌め受け構造部の逆くの字状押込み部に押し付けて押し込むと同時に、掛外し部材を外装材の他側端部の掛止め構造部のＬ形折返し部および一側端部の嵌め受け構造部の前垂れ部に引掛けて上方に撥ね上げることにより、外装材前記両構造部の嵌め外しを行い、その後、交換外装材の嵌合取付けを行なうことを特徴とする建築用外装材の脱着方法を提案する。
【発明の効果】
【０００９】
本発明は、上記のような建築用外装材、とくに掛止めタイプの非密着型嵌合構造とした外装材、ならびにそのための独自の脱着方法を採用することで、既に施工してある横葺屋根や外壁のような既設外装材のうちの部分的な取換えを必要とする外装材のみを、その周辺の外装材の取り外しを行なうことなく、また傷つけることなく、しかも容易に交換することができるようになることから、建築外装の工事をより低コストで効率よく行なうことができる。
【図面の簡単な説明】
【００１０】
【図１】本発明に係る外装材の斜視図である。
【図２】外装材の他側端部の端面図（ａ）、一側端部の端面図（ｂ）、両側端部の係合の様子を示す端面図（ｃ）である。
【図３】本発明に係る外装材の一側端部と他側端部の脱着の様子（ａ〜ｃ）を示す略線図である。
【図４】外装材の脱着作業を援助するための脱着治具の略線図である。
【発明を実施するための形態】
【００１１】
本発明は、第１に、屋根材とくに横葺き屋根材や建物の外壁材などとして使われる外装材に関して、図示例のような例えば、短辺側どうしの接合構造について提案する。ここで提案する外装材は、例えば横葺き屋根の場合、図１に示す各種金属板のような矩形状の板材１の短辺側に当る側端部のそれぞれに、即ち一側端部には下ハゼとなる嵌め受け構造部１ａを、そしてその他側端部には上ハゼとなる掛止め構造部１ｂとを形成してなるものであって、それぞれの構造部１ａ、１ｂどうしを互いに非密着型（掛け止め）嵌合させて順次に連結させて、屋根を葺き上げるときに用いられるものである。
【００１２】
前記それぞれの構造部１ａ、１ｂは、図２に示すとおり、板材１の短辺側に当たる一方の一側端部は端面形状が以下に説明するような嵌め受け構造部１ａとして屈曲形成され、また、他方の他側端部は端面形状が以下に説明するような掛止め構造部１ｂとして屈曲形成されており、両者の嵌合状態は治具を使う弾性変形内の外力の付加によって開放することができる。なお、両構造部１ａ、１ｂの嵌合個所は実質的に外からは隠れた状態となるようにしてある。
【００１３】
本発明は正に、上ハゼとなる前記掛止め構造部１ｂを下ハゼとなる嵌め受け構造部１ａから、いかにスムーズに外して開放し、先施工した嵌め受け構造部１ａの板材固定部８を露出させることができるようにするための、従来の密着型嵌合構造ではなく、非密着型の掛止め嵌合構造を提案するものである。そのためには、とくに先施工の嵌め受け構造部１ａの奥行きの深さに対して、後施工の掛止め構造部１ｂの先端が届かない掛け止め状態の嵌め合い構造にした点に特徴がある。密着型でないこうした嵌合構造にすることで、治具を用いた少しの外力（弾性変形内）で嵌合状態を解除することができるようになるのである。
【００１４】
そのための下ハゼとなる前記嵌め受け構造部１ａは、図２（ａ）に示す端面形状から明らかなように、板材１の短辺側である一側端部の側縁に沿って、以下に説明するような構造のものに屈曲成形される。即ち、この嵌め受け構造部１ａは、板材１の左右方向もしくは上下方向、図示例は左右方向（短辺側）の一側端部の延在部分が、まず斜め上向きに屈曲させて得られる斜め上向き起立部２となっており、さらにそれの延在部分が斜め上向きに折り返されて逆向き斜め上向き部３が形成されることで、全体として空間を作りやすい逆くの字状を呈する凹嵌合部ｐを形造っている。
【００１５】
そして、この逆くの字状に形成された凹嵌合部ｐの前記逆向き斜め上向き部３の延在部分として、斜め下方に延びる斜め折下げ部４とそれに続いてＵ形に折り曲げて得られる折上げ部５とによって形造られた前垂れ部ａが形成されている。
【００１６】
かかる逆くの字状凹嵌合部ｐと前垂れ部ａとによって構成される前記嵌め受け構造部１ａは、加圧されたときの補強のために、前記前垂れ部ａの折上げ部５の延在部分として、前記逆向き斜め上向き部３と平行な斜め折返し部６が形成され、さらにその斜め折返し部６の延在部分には前記斜め上向き起立部２と平行に屈曲形成した折返し起立部７が形成され、さらにその折返し起立部７の延在部分の遊端部には折り曲げられて板材１と平行に延びる固定部８が形成されている。なお、この固定部８は、本発明の外装材を建物下地材９にねじ１０を介して固定する部分である。
【００１７】
次に、上ハゼとなる前記掛止め構造部１ｂは、図２（ａ）に示す端面形状から明らかなように、板材１の他側端部の側縁に沿って、以下に説明するような構造に屈曲成形されている。即ち、この掛止め構造部１ｂは、板材１の短辺側の他側端部の延在部分が、まず前記一側端部の前垂れ部ａに沿うように形成された折下げ部１１と、それの延在部分としてやや斜め上向きに折り返し成形されたＬ形折返し部１２とによって構成され、そのＬ形折返し部１２の遊端部をさらに下側に折り返してなるＵ形折曲げ部１２ａを設けてなる構造である。
【００１８】
略逆くの字形を呈する下ハゼとなる前記嵌め受け構造部１ａと略Ｌ形を呈する上ハゼとなる前記掛止め構造部１ｂとは、図２（ｃ）に示すように非密着型の掛止め嵌合構造となるように順次に連結されて、例えば屋根葺きの施工が行なわれるが、これは建物外壁施工の場合も同様に行なわれる。
【００１９】
前記両構造部１ａ、１ｂによる掛止め嵌合構造において、互いに連結した状態では、前記嵌め受け構造部１ａの前記逆向き斜め上向き部３とその延在部分の前記前垂れ部ａ、および前記掛止め構造部１ｂのＬ形折返し部１２とは、断面が略三角形状の空間Ｓを形造るように掛合させた非密着型嵌合構造とすることが望ましい。それは、両構造部１ａ、１ｂを素材（板材）の弾性限界内での変形で嵌め入れ、嵌め外しができるようにする上で好ましい形状と考えられるからである。
【００２０】
次に、施工後の前記両構造部１ａ、１ｂの嵌合部分を、図４に示す脱着治具Ｊを介して、既に複数の前記屋根材等の外装材を敷設施工した状態のものにおいて、その施工後の前後左右に連結されている外装材のうちの１つを取り外してから別の交換外装材に取り代える方法につき、図３に基づいて説明する。
【００２１】
図３（ａ）は、取り外し前の嵌合状態を示しており、図３（ｂ）は、図４に示す脱着治具Ｊを使って嵌め外し（掛け外し）を行う準備状態であり、そして図３（ｃ）は該脱着治具Ｊの突き当て部材１３と掛外し部材１４とを使い、その突当て部材１３を前進させて嵌め受け構造部１ａの前記逆くの字状凹嵌合部ｐに突き当てて（押し込んで）前記逆斜め上向き部３ならびに斜め折下げ部４、前記前垂れ部ａを上方に反り返らせると同時に、前記掛外し部材１４の先端を前記掛止め構造部１ｂのＬ形折返し部１２を跳ね上げると同時に手前に引き戻して両構造部１ａ、１ｂの掛止め嵌合状態を開放させる状態を示しており、このようにして施工済み状態下にある外装材の一部の取り外しと、同様に逆の操作を繰り返して新規な交換外装材の装着を行なうことができる。
【００２２】
なお、図４の脱着治具Ｊは、交換外装材の上に戴置する台板Ａ上に、支持フレームＢを介して傾動可能に支持されている操作杆Ｃを軸Ｄを中心に前後に傾動させることにより、突当て部材１３の前進と、掛外し部材１４の掛け上げとを行なう治具の構造を簡単に例示したものである。
【実施例】
【００２３】
なお、本発明において利用する前記脱着治具Ｊは、上述したように、取り外したい外装材の前記押込み部に前記突当て部材１３を押し付ける一方、掛外し部材１４によって掛止め構造部１ｂを跳ね上げて拡開させることにより、両構造部の嵌合状態を解除して、引き出すという一連の連続した動作の中で容易に取り外すことができるが、一般的な考え方では押込みと引っ掛けの動作を同時に果す構造となっていないことから、例えば無理に嵌め外しを行なおうとすると、外装材を却って傷つけてしまうおそれがある。
【００２４】
因みに、前記脱着治具Ｊを用いて屋根材を取り外した状況について、本発明品と従来の横葺屋根材とについて比較シミュレーションを実施した。なお、解析には、接触条件の再現と、形状および材料非変形状態を解析できるＦＥＭ解析プログラム「ＡＤＩＮＡ」を用いた。
【００２５】
そして、嵌め受け構造部１ａの前垂れ部ａ先端と掛止め構造部１ｂのＬ形折返し部１２の遊端との取外し目標変位（図２−Ｃ）、即ち取り外しが可能な変形量については、凹嵌合部ｐを押込み時の右移動距離とＬ形折返し部１２の左移動距離との合計で１０ｍｍに達する場合の、必要荷重、外装材各部の曲げ応力度として求めた。
【００２６】
その結果、本発明に適合する例での発生曲げ応力は３７０Ｎ／ｍｍ２（真応力）であったのに対し、一般品は６２０Ｎ／ｍｍ２（真応力）程度であり、本発明品では約４０％の応力低減を図ることができた。その結果、本発明適合品では、素材の降伏点４００Ｎ／ｍｍ２を超えることなく、健全な単独での取り外しが可能になったが、従来品の場合、大幅に超過してしまい、塑性変形が残ってしまうおそれのあることが分った。また、取り外しに必要な荷重については、本発明適合品では必要荷重屋根材長さ１ｍあたり５８０Ｎ／ｍであった。これは従来品の８９０Ｎ／ｍに比べて３５％低減可能であることがわかった。
【産業上の利用可能性】
【００２７】
本発明は、主として横葺き屋根材のような建築外装材として、特にそれの部分脱着に際して優れた効力を発揮するものであるが、その他の建築物以外の各種構造物の外装材としても有用である。
【符号の説明】
【００２８】
１  板材
１ａ  嵌め受け構造部
１ｂ  掛止め構造部
２  斜め上向き起立部
３  逆向き斜め上向き部
ｐ  凹嵌合部
４  斜め折下げ部
５  折上げ部
ａ  前垂れ部
６  斜め折返し部
７  折返し起立部
８  固定部
９  建物下地材
１０  ねじ
１１  折下げ部
１２  Ｌ形折返し部
１２ａ  Ｕ形折曲げ部
１３  突当て部材
１４  掛外し部材
Ａ  台板
Ｂ  支持フレーム
Ｃ  操作杆
Ｊ  脱着治具
Ｓ  空間
【図１】
2020037811.tif 000003
【図２】
2020037811.tif 000004
【図３】
2020037811.tif 000005
【図４】
2020037811.tif 000006